(57)【要約】【課題】簡単な操作で所望の通信端末と近距離通信を行うことができる通信要求端末、通信被要求端末およびこれを用いる通信システムを提供すること。【解決手段】通信端末と近距離通信可能な近距離通信部と、所定の範囲に配置された通信端末に表示された識別子を読み取る識別子読取部と、識別子読取部で読み取った通信端末に表示された識別子を解析して近距離通信における通信端末の識別情報を取得し、近距離通信部で通信可能な通信端末から識別情報を備える通信端末を特定通信端末として特定し、識別情報に基づいて特定通信端末との近距離通信を開始する制御を行う制御部と、を有することで上記課題を解決する。【選択図】図８
2012249103.tif 000002
【特許請求の範囲】
【請求項１】
通信端末と近距離通信可能な近距離通信部と、
所定の範囲に配置された前記通信端末に表示された識別子を読み取る識別子読取部と、
前記識別子読取部で読み取った前記通信端末に表示された識別子を解析して近距離通信における前記通信端末の識別情報を取得し、前記近距離通信部で通信可能な通信端末から前記識別情報を備える前記通信端末を特定通信端末として特定し、前記識別情報に基づいて前記特定通信端末との近距離通信を開始する制御を行う制御部と、を有することを特徴とする通信要求端末。
【請求項２】
前記識別子読取部は、対面する領域にある前記特定通信端末の前記識別子を含む画像を取得するカメラであることを特徴とする請求項１に記載の通信要求端末。
【請求項３】
前記近距離通信の識別情報を含む自機を特定する自機識別子の情報を記憶する記憶部をさらに有し、
前記制御部は、前記近距離通信部を用いた通信の開始時に、前記近距離通信部で前記特定通信端末に前記自機識別子の情報を送信することを特徴とする請求項１または２に記載の通信要求端末。
【請求項４】
前記記憶部から読み出した前記自機識別子を表示させる識別子表示部をさらに有し、
前記制御部は、前記近距離通信部を用いた通信の開始時に、前記識別子表示部に前記自機識別子を表示させ、前記近距離通信部で前記特定通信端末から取得した情報に前記自機識別子の情報を含む場合、前記特定通信端末と通信を行うことを特徴とする請求項３に記載の通信要求端末。
【請求項５】
前記識別子表示部は、前記識別子読取部と同一面に配置されていることを特徴とする請求項４に記載の通信要求端末。
【請求項６】
前記識別子表示部は、表示面に複数の画素がマトリックス状に配置され、各画素の点灯と消灯とを切り換えることで前記識別子を表示させることを特徴とする請求項４または５に記載の通信要求端末。
【請求項７】
前記識別子表示部は、前記表示面に表示させる画像を切り換え、前記識別子を複数に分割した画像を順次表示させることを特徴とする請求項６に記載の通信要求端末。
【請求項８】
前記識別子表示部は、前記画素が発光ダイオードで構成されており、前記発光ダイオードがマトリックス状に配置されていることを特徴とする請求項６または７に記載の通信要求端末。
【請求項９】
タッチパネルをさらに有し、
前記制御部は、前記特定通信端末の画像と少なくとも１つの送信対象のデータに対応付けられたオブジェクト画像とを前記タッチパネルに表示させ、前記オブジェクト画像を前記特定通信端末の画像に移動させる操作が前記タッチパネルに入力された場合、当該オブジェクト画像に対応付けられたデータを前記特定通信端末に前記近距離通信部による通信で送信することを特徴とする請求項１から８のいずれか一項に記載の通信要求端末。
【請求項１０】
前記識別子は、ネットワークＩＤであることを特徴とする請求項１から９のいずれか一項に記載の通信要求端末。
【請求項１１】
通信端末と近距離通信可能な近距離通信部と、
前記近距離通信の識別情報を含む自機を特定する自機識別子の情報を記憶する記憶部と、
前記記憶部から読み出した前記自機識別子を表示させる識別子表示部と、
前記近距離通信部を用いた通信の開始時に、前記識別子表示部に前記自機識別子を表示させた後、前記近距離通信部で前記自機識別子に基づいた通信の開始が要求されると、当該要求の送信元の通信端末を特定し、当該特定した通信端末との間で近距離通信を行う制御部と、を有することを特徴とする通信被要求端末。
【請求項１２】
前記識別子表示部は、表示面に複数の画素がマトリックス状に配置され、各画素の点灯と消灯とを切り換えることで前記識別子を表示させることを特徴とする請求項１１に記載の通信被要求端末。
【請求項１３】
前記識別子表示部は、前記表示面に表示させる画像を切り換え、前記識別子を複数に分割した画像を順次表示させることを特徴とする請求項１２に記載の通信被要求端末。
【請求項１４】
前記識別子表示部は、前記画素が発光ダイオードで構成されており、前記発光ダイオードがマトリックス状に配置されていることを特徴とする請求項１２または１３に記載の通信被要求端末。
【請求項１５】
タッチパネルをさらに有し、
前記制御部は、前記特定通信端末の画像と少なくとも１つの送信対象のデータに対応付けられたオブジェクト画像とを前記タッチパネルに表示させ、前記オブジェクト画像を前記特定通信端末の画像に移動させる操作が前記タッチパネルに入力された場合、当該オブジェクト画像に対応付けられたデータを前記特定通信端末に前記近距離通信部による通信で送信することを特徴とする請求項１１から１４のいずれか一項に記載の通信被要求端末。
【請求項１６】
前記識別子は、ネットワークＩＤであることを特徴とする請求項１１から１５のいずれか一項に記載の通信被要求端末。
【請求項１７】
所定の範囲に配置された通信端末に表示された識別子を読み取る識別子読取部と通信端末と通信可能な第１近距離通信部とを有する通信要求端末と、
前記通信端末と通信可能な第２近距離通信部と前記近距離通信の識別情報を含む自機を特定する自機識別子の情報を記憶する記憶部と前記記憶部から読み出した前記自機識別子を表示させる識別子表示部とを有する通信被要求端末と、を有し、
前記通信要求端末は、前記識別子読取部で前記通信被要求端末の前記識別子表示部に表示された前記自機識別子を読み取り、前記通信被要求端末の識別子を取得し、前記通信被要求端末の識別子に基づいて前記第１近距離通信部による通信で通信可能な通信端末の中から前記通信被要求端末を特定し、当該特定した前記通信被要求端末に前記通信被要求端末の前記自機識別子を送信し、
前記通信被要求端末は、第２近距離通信部による通信で通信可能な通信端末の中から前記通信被要求端末の前記自機識別子を送信する前記通信要求端末を検出した場合、前記通信要求端末と近距離通信を行うことを特徴とする通信システム。
【発明の詳細な説明】
【技術分野】
【０００１】
本発明は、近距離通信機能を備える通信要求端末、通信被要求端末および通信システムに関する。
【背景技術】
【０００２】
近年、携帯電話機等の携帯電子機器には、種々の機能が搭載されている。携帯電子機器が搭載する機能としては、赤外線通信（ＩｒＤＡ（登録商標）、ＩｒＭＣ（登録商標）、ＩｒＳｉｍｐｌｅ（登録商標））や、可視光通信や、Bluetooth（登録商標）や、磁界通信（ＲＦＩＤ、Radio  Frequency  Identification）技術等の近距離通信技術を用いて、他の通信端末と近距離通信を行う機能がある（特許文献１、２、３参照）。
【先行技術文献】
【特許文献】
【０００３】
【特許文献１】特開２００７−２５９４９９号公報
【特許文献２】特開２００５−７２６３３号公報
【特許文献３】特開２００６−２００８８号公報
【発明の概要】
【発明が解決しようとする課題】
【０００４】
ここで、携帯電子機器は、近距離通信で通信可能な範囲内に、複数の近距離通信可能な通信端末がある場合がある。携帯電子機器は、近距離通信を行う際に近距離通信を要求する側の携帯電子機器が通信要求端末となり、近距離通信が要求される側の携帯電子機器が通信被要求端末となる。この場合、携帯電子機器（通信要求端末）は、複数の通信端末（通信被要求端末）の中から所望の通信端末を選択することで、特定の通信端末（通信被要求端末）と近距離通信を行うことができる。
【０００５】
通信システムにおいて、複数の通信端末の中から所望の通信端末を選択する方法として近距離通信の識別子として用いるネットワークＩＤから識別する方法がある。この場合、通信先のネットワークＩＤを通信時に知っている必要や複数のネットワークＩＤの中から対象のネットワークＩＤを探す必要があるため操作が面倒である。
【０００６】
本発明は、上記に鑑みてなされたものであって、簡単な操作で所望の通信端末と近距離通信を行うことができる通信要求端末、通信被要求端末およびこれを用いる通信システムを提供することを目的とする。
【課題を解決するための手段】
【０００７】
上述した課題を解決し、目的を達成するために、本発明の通信要求端末は、通信端末と近距離通信可能な近距離通信部と、所定の範囲に配置された前記通信端末に表示された識別子を読み取る識別子読取部と、前記識別子読取部で読み取った前記通信端末に表示された識別子を解析して近距離通信における前記通信端末の識別情報を取得し、前記近距離通信部で通信可能な通信端末から前記識別情報を備える前記通信端末を特定通信端末として特定し、前記識別情報に基づいて前記特定通信端末との近距離通信を開始する制御を行う制御部と、を有することを特徴とする。
【０００８】
また、前記識別子読取部は、対面する領域にある前記特定通信端末の前記識別子を含む画像を取得するカメラであることが好ましい。
【０００９】
また、前記近距離通信の識別情報を含む自機を特定する自機識別子の情報を記憶する記憶部をさらに有し、前記制御部は、前記近距離通信部を用いた通信の開始時に、前記近距離通信部で前記特定通信端末に前記自機識別子の情報を送信することが好ましい。
【００１０】
また、前記記憶部から読み出した前記自機識別子を表示させる識別子表示部をさらに有し、前記制御部は、前記近距離通信部を用いた通信の開始時に、前記識別子表示部に前記自機識別子を表示させ、前記近距離通信部で前記特定通信端末から取得した情報に前記自機識別子の情報を含む場合、前記特定通信端末と通信を行うことが好ましい。
【００１１】
また、前記識別子表示部は、前記識別子読取部と同一面に配置されていることが好ましい。
【００１２】
また、前記識別子表示部は、表示面に複数の画素がマトリックス状に配置され、各画素の点灯と消灯とを切り換えることで前記識別子を表示させることが好ましい。
【００１３】
また、前記識別子表示部は、前記表示面に表示させる画像を切り換え、前記識別子を複数に分割した画像を順次表示させることが好ましい。
【００１４】
また、前記識別子表示部は、前記画素が発光ダイオードで構成されており、前記発光ダイオードがマトリックス状に配置されていることが好ましい。
【００１５】
また、タッチパネルをさらに有し、前記制御部は、前記特定通信端末の画像と少なくとも１つの送信対象のデータに対応付けられたオブジェクト画像とを前記タッチパネルに表示させ、前記オブジェクト画像を前記特定通信端末の画像に移動させる操作が前記タッチパネルに入力された場合、当該オブジェクト画像に対応付けられたデータを前記特定通信端末に前記近距離通信部による通信で送信することが好ましい。
【００１６】
また、前記識別子は、ネットワークＩＤであることが好ましい。
【００１７】
上述した課題を解決し、目的を達成するために、本発明の通信被要求端末は、通信端末と近距離通信可能な近距離通信部と、前記近距離通信の識別情報を含む自機を特定する自機識別子の情報を記憶する記憶部と、前記記憶部から読み出した前記自機識別子を表示させる識別子表示部と、前記近距離通信部を用いた通信の開始時に、前記識別子表示部に前記自機識別子を表示させた後、前記近距離通信部で前記自機識別子に基づいた通信の開始が要求されると、当該要求の送信元の通信端末を特定し、当該特定した通信端末との間で近距離通信を行う制御部と、を有することを特徴とする。
【００１８】
また、前記識別子表示部は、表示面に複数の画素がマトリックス状に配置され、各画素の点灯と消灯とを切り換えることで前記識別子を表示させることが好ましい。
【００１９】
また、前記識別子表示部は、前記表示面に表示させる画像を切り換え、前記識別子を複数に分割した画像を順次表示させることが好ましい。
【００２０】
また、前記識別子表示部は、前記画素が発光ダイオードで構成されており、前記発光ダイオードがマトリックス状に配置されていることが好ましい。
【００２１】
また、タッチパネルをさらに有し、前記制御部は、前記特定通信端末の画像と少なくとも１つの送信対象のデータに対応付けられたオブジェクト画像とを前記タッチパネルに表示させ、前記オブジェクト画像を前記特定通信端末の画像に移動させる操作が前記タッチパネルに入力された場合、当該オブジェクト画像に対応付けられたデータを前記特定通信端末に前記近距離通信部による通信で送信することが好ましい。
【００２２】
また、前記識別子は、ネットワークＩＤであることが好ましい。
【００２３】
上述した課題を解決し、目的を達成するために、本発明の通信システムは、所定の範囲に配置された通信端末に表示された識別子を読み取る識別子読取部と通信端末と通信可能な第１近距離通信部とを有する通信要求端末と、前記通信端末と通信可能な第２近距離通信部と前記近距離通信の識別情報を含む自機を特定する自機識別子の情報を記憶する記憶部と前記記憶部から読み出した前記自機識別子を表示させる識別子表示部とを有する通信被要求端末と、を有し、前記通信要求端末は、前記識別子読取部で前記通信被要求端末の前記識別子表示部に表示された前記自機識別子を読み取り、前記通信被要求端末の識別子を取得し、前記通信被要求端末の識別子に基づいて前記第１近距離通信部による通信で通信可能な通信端末の中から前記通信被要求端末を特定し、当該特定した前記通信被要求端末に前記通信被要求端末の前記自機識別子を送信し、前記通信被要求端末は、第２近距離通信部による通信で通信可能な通信端末の中から前記通信被要求端末の前記自機識別子を送信する前記通信要求端末を検出した場合、前記通信要求端末と近距離通信を行うことを特徴とする。
【発明の効果】
【００２４】
本発明にかかる通信要求端末、通信被要求端末およびこれを用いる通信システムは、簡単な操作で所望の通信端末と近距離通信を行うことができるという効果を奏する。
【図面の簡単な説明】
【００２５】
【図１】図１は、本発明の携帯電話端末を有する通信システムの概略構成を示す説明図である。
【図２】図２は、携帯電話端末の外観を示す正面図である。
【図３】図３は、携帯電話端末の外観を示す斜視図である。
【図４】図４は、携帯電話端末の機能の概略構成を示すブロック図である。
【図５】図５は、携帯電話端末の近距離通信動作を説明するための説明図である。
【図６】図６は、携帯電話端末の近距離通信動作を説明するための説明図である。
【図７】図７は、携帯電話端末の近距離通信動作を説明するための説明図である。
【図８】図８は、携帯電話端末の近距離通信の処理の一例を示すフロー図である。
【図９】図９は、携帯電話端末の近距離通信の処理の一例を示すフロー図である。
【図１０】図１０は、携帯電話端末の近距離通信の処理の一例を示すフロー図である。
【図１１】図１１は、携帯電話端末の近距離通信動作を説明するための説明図である。
【図１２】図１２は、携帯電話端末の近距離通信動作を説明するための説明図である。
【図１３】図１３は、携帯電話端末の近距離通信動作を説明するための説明図である。
【図１４】図１４は、識別子表示部で表示させる画像を説明するための説明図である。
【図１５】図１５は、識別子表示部で表示させる画像を説明するための説明図である。
【発明を実施するための形態】
【００２６】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、通信システムを構成する携帯電子機器（通信要求端末、通信被要求端末）として携帯電話端末を例として説明するが、本発明の適用対象は携帯電話端末に限定されるものではなく、近距離通信機能を備える各種装置、例えば、ＰＨＳ（Personal  Handy-phone  System）、ＰＤＡ、ポータブルナビゲーション装置、ゲーム機等に対しても本発明は適用できる。
【００２７】
図１は、本発明の携帯電話端末を有する本発明の通信システムの概略構成を示す説明図である。図１に示す通信システム１は、複数の携帯電話端末１０、本実施形態では、８台の携帯電話端末１０ａ〜１０ｈで構成されている。なお、通信システム１を構成する携帯電話端末１０の台数は特に限定されない。
【００２８】
携帯電話端末１０（１０ａ〜１０ｈ）は、いずれも近距離通信機能を備えており、通信波が届く範囲内の他の携帯電話端末と近距離通信を行うことができる。また、本実施形態の携帯電話端末１０は、通信要求端末と通信被要求端末との両方の機能を備えている。つまり、他の通信端末に対して通信要求を送信することができ、他の通信端末からの通信要求に対して応答することができる。なお、携帯電話端末１０は、いずれか一方の機能のみを備えている構成としてもよい。また、携帯電話端末１０は、基地局を介して通信網との間で無線通信を行う通信端末（通信機器）でもある。携帯電話端末１０は、音声信号等の信号を通信網に送信し、通信網から音声信号等の信号を受信し、基地局を介して通信網に接続された通信端末とも通信を行うことができる。なお、携帯電話端末１０の構成については後述する。
【００２９】
携帯電話端末１０は、通信時に自機と他の通信端末とを識別するための携帯電話端末に固有のネットワークＩＤが対応付けられている。ここで、本実施形態の、携帯電話端末１０ａには、ネットワークＩＤとして「００１０２０３０」が対応付けられており、携帯電話端末１０ｂには、ネットワークＩＤとして「００００２４８９」が対応付けられており、携帯電話端末１０ｃには、ネットワークＩＤとして「００５３２１２３」が対応付けられており、携帯電話端末１０ｄには、ネットワークＩＤとして「００５６３４１２」が対応付けられており、携帯電話端末１０ｅには、ネットワークＩＤとして「００７７２３９」が対応付けられており、携帯電話端末１０ｆには、ネットワークＩＤとして「０４５２７８９１」が対応付けられており、携帯電話端末１０ｇには、ネットワークＩＤとして「１２３４５６７８」が対応付けられており、携帯電話端末１０ｈには、ネットワークＩＤとして「８９３４７２５３」が対応付けられている。携帯電話端末１０は、通信時に通信先のネットワークＩＤを特定することで、任意の通信端末と通信が可能となる。携帯電話端末１０は、近距離通信と基地局を介した通信網での通信とで別々のネットワークＩＤを備えていてもよいし、同一のネットワークＩＤを備えていてもよい。
【００３０】
また、図１に示す携帯電話端末１０ａは、近距離通信可能な範囲に、携帯電話端末１０ｂ、携帯電話端末１０ｃ、携帯電話端末１０ｄ、携帯電話端末１０ｆがあり、それぞれの端末と近距離通信を行うことができる。また、携帯電話端末１０ｄは、近距離通信可能な範囲に携帯電話端末１０ｃがあり、近距離通信を行うことができる。携帯電話端末１０ｆは、近距離通信可能な範囲に、携帯電話端末１０ｅ、携帯電話端末１０ｇ、携帯電話端末１０ｈがあり、それぞれの端末と近距離通信を行うことができる。また、携帯電話端末１０ｇは、近距離通信可能な範囲に携帯電話端末１０ｈがあり、近距離通信を行うことができる。
【００３１】
通信システム１は、以上のような構成であり、携帯電話端末１０は、近距離通信可能な範囲内にある他の携帯電話端末１０を特定し、特定した他の携帯電話端末１０と近距離通信を行うことで各種情報を送受信することができる。なお、本実施形態の通信システム１は、携帯電話端末１０のみで構成したがこれに限定されない。通信システム１は、近距離通信を行うことができる各種通信端末を含めることができる。
【００３２】
次に、携帯電話端末１０について説明する。なお、携帯電話端末１０ａ〜１０ｈは、基本的に同様の装置構成である。
【００３３】
図２および図３を用いて、携帯電話端末１０の外観について説明する。図２は、携帯電話端末の外観を示す正面図である。図３は、携帯電話端末の外観を示す斜視図である。なお、図２は、携帯電話端末１０を正面から見た場合を示しており、図３は、携帯電話端末１０を図２とは反対側の面（背面）から見た場合を示している。
【００３４】
図２および図３に示すように携帯電話端末１０は、薄板状の筐体１１を有する。携帯電話端末１０は、筐体１１の表面に、タッチパネル１２と、ボタン３０、ボタン３２および入力デバイス３４からなる入力部１３と、レシーバ１７と、マイク１８と、カメラ２６と、識別子表示部２８と、が配置されている。なお、携帯電話端末１０は、筐体１１の表面のうち正面にタッチパネル１２と、ボタン３０、ボタン３２および入力デバイス３４からなる入力部１３と、レシーバ１７と、マイク１８とが配置され、筐体１１の表面のうち背面にカメラ２６と、識別子表示部２８と、が配置されている。
【００３５】
タッチパネル１２は、板状の筐体１１の面積が最も広い面に配置されている。また、入力部１３も、筐体１１のタッチパネル１２が配置されている面の、長手方向の一方の端部に配置されている。入力部１３は、短手方向の一方から他方に向かって、ボタン３０、入力デバイス３４、ボタン３２の順で配置されている。また、レシーバ１７は、筐体１１のタッチパネル１２が配置されている面の長手方向の他方の端部、つまり、入力部１３が配置されている端部とは反対側の端部に配置されている。また、マイク１８は、筐体１１のタッチパネル１２が配置されている面の長手方向の一方の端部、つまり、入力部１３が配置されている端部に配置されている。また、カメラ２６と識別子表示部２８とは、タッチパネル１２が配置されている面とは反対側の面（背面）に隣接して配置されている。
【００３６】
タッチパネル１２は、文字、図形、画像等を表示するとともに、指、スタイラス、ペン（ペンの先端、棒状部材の先端）等（以下、単に「指」という）を用いてタッチパネル１２に対して行われる各種動作を検出する。例えば、携帯電話端末１０は、利用者から文字の入力を受け付けるために、タッチパネル１２上に仮想キーボードを表示させる。携帯電話端末１０は、タッチパネル１２上に仮想キーボードを表示させた状態で、指によってタッチパネル１２に入力される各種動作を検出し、仮想キーボードのどのキーが押下されたか、接触されたかを検出し、押下、接触を検出したキーを入力したキーとすることで、文字入力を行うことができる。また、タッチパネル１２は、文字の入力によらず、表示させている画像と、指によってタッチパネル１２に対して行われる各種動作とに基づいて、各種操作の入力を検出し、入力された操作に基づいて各種制御を行う。
【００３７】
入力部１３は、ボタン３０、３２が押下された場合に、押下されたボタンに対応する機能を起動させる。また、入力部１３は、入力デバイス３４に入力された動作も操作として検出し、入力された操作に基づいて各種制御を行う。例えば、入力デバイス３４は、方向指示操作や決定操作を検出する。入力デバイス３４は、タッチパッド、光学式入力デバイス、四方および中央にボタンを備える入力デバイス等で構成される。
【００３８】
カメラ２６は、画像を撮影する撮影装置（撮影機器、撮影部）であり、撮影窓、光学系、受光部等を有する。カメラ２６は、撮影窓が筐体１１のタッチパネル１２が配置されている面とは反対側の面に露出して配置されている。カメラ２６は、撮影窓から筐体１１の内部に入射した光を光学系で受光部まで案内する。ここで、受光部は、撮影領域の画像情報を取得する装置であり、受光面にフォトダイオードをマトリックス状に配列させた撮像素子（ＣＭＯＳイメージセンサ、ＣＣＤイメージセンサ等）を備える。受光部は、受光面に画像が結像されると、撮像素子で結像された画像を読み取り、読み取った画像を電子データ（通信データとして用いることができるデータ）である画像情報に変換する。カメラ２６は、以上のような構成であり、撮影窓から入射した撮影領域の光を光学系で受光部に案内し、受光部で結像された光を読み取ることで、撮影領域の画像を取得する。なお、カメラ２６は、オートフォーカス機能やズーム機能も備えていてもよい。
【００３９】
識別子表示部２８は、表示面に複数の画素がマトリックス状に配置された画像表示装置であり、表示面が筐体１１のタッチパネル１２が配置されている面とは反対側の面に露出して配置されている。識別子表示部２８は、表示面に配置された各画素の点灯と消灯とを切り換えることで、表示面にマトリックス型の二次元コードを識別子として表示させる。画像表示装置としては、各画素に対応する位置に発光ダイオード（ＬＥＤ、Light Emitting Diode）を配置した、つまり発光ダイオードをマトリックス状に配置した表示装置を用いることができる。この場合、各発光ダイオードの点灯と消灯とを切り換えることで二次元コードを表示させることができる。また、画像表示装置としては、各画素に対応してマトリックス状にシャッタが配置され、当該シャッタを開閉させることで各画素の点灯と消灯とを切り換える液晶ディスプレイ（ＬＣＤ、Liquid Crystal Display）を用いてもよい。
【００４０】
なお、通信システム１および携帯電話端末１０は、識別子を簡単に表示させることができ、識別が容易であるため、各画素を例えば白と黒の二値化で表した二次元コードを識別子として用い、識別子表示部２８の画像表示装置として、各画素の点灯と消灯とを切り換えることで表示画像を切り換える画像表示装置を用いることが好ましいがこれに限定されない。識別子としては、複数の色で構成される画像を用いるようにしてもよい。識別子表示部２８は、識別子として用いる画像に応じて当該画像を表示できる画像表示装置を用いればよい。
【００４１】
次に、携帯電話端末１０の機能と制御部との関係を説明する。図４は、図２に示す携帯電話端末１０の機能の概略構成を示すブロック図である。図４に示すように携帯電話端末１０は、タッチパネル１２と、入力部１３と、電源部１５と、通信部１６と、レシーバ１７と、マイク１８と、記憶部１９と、主制御部２０と、ＲＡＭ（Random  Access  Memory）２１と、近距離通信部２４と、カメラ２６と、識別子表示部２８と、を有する。
【００４２】
タッチパネル１２は、表示部１２Ｂと、表示部１２Ｂに重畳されたタッチセンサ１２Ａとを有する。タッチセンサ１２Ａは、指を用いてタッチパネル１２に対して行われた各種動作を、動作が行われた場所のタッチパネル１２上での位置とともに検出する。タッチセンサ１２Ａによって検出される動作には、指をタッチパネル１２の表面に接触させる動作や、指をタッチパネル１２の表面に接触させたまま移動させる動作や、指をタッチパネル１２の表面から離す動作が含まれる。なお、タッチセンサ１２Ａは、感圧式、静電式等のいずれの検出方式を採用していてもよい。表示部１２Ｂは、例えば、液晶ディスプレイ（ＬＣＤ、Liquid  Crystal  Display）や、有機ＥＬ（Organic  Electro−Luminescence）パネル等で構成され、文字、図形、画像等を表示する。
【００４３】
入力部１３は、上述したようにボタン３０、３２と、入力デバイス３４とを有する。ボタン３０、３２は、物理的な入力（押下）を通じて利用者の操作を受け付け、受け付けた操作に対応する信号を主制御部２０へ送信する。また、入力デバイス３４も、利用者の操作を受け付け、受け付けた操作に対応する信号を主制御部２０へ送信する。
【００４４】
電源部１５は、蓄電池または外部電源から得られる電力を、主制御部２０を含む携帯電話端末１０の各機能部へ供給する。通信部１６は、基地局によって割り当てられるチャネルを介し、基地局との間でＣＤＭＡ方式等による無線信号回線を確立し、基地局４との間で電話通信および情報通信を行う。レシーバ１７は、電話通信における相手側の音声や着信音等を出力する。マイク１８は、利用者等の音声を電気的な信号へ変換する。
【００４５】
記憶部１９は、例えば、不揮発性メモリや磁気記憶装置であり、主制御部２０での処理に利用されるプログラムやデータを保存する。具体的には、記憶部１９は、メールの送受信や閲覧のためのメールプログラム１９Ａや、ＷＥＢページの閲覧のためのブラウザプログラム１９Ｂや、カメラ２６の動作を制御し画像を撮影するためのカメラプログラム１９Ｃや、近距離通信部２４を用いて対象の通信端末（対象の携帯電話端末）を含む他の通信端末と情報の送受信を行うための近距離通信プログラム１９Ｄや、近距離通信での通信を管理するための通信管理プログラム１９Ｅや、各種プログラムを実行する際に用いる各種条件を対応付けた処理条件テーブル１９Ｆを記憶する。また、記憶部１９には、携帯電話端末１０の基本的な機能を実現するオペレーティングシステムプログラムや、氏名、電話番号、メールアドレス等が登録されたアドレス帳データ等の他のプログラムやデータも記憶される。また、記憶部１９には、タッチパネル１２に入力された入力操作に基づいて制御動作、処理を決定するプログラム等も記憶される。なお、制御動作、処理とは、携帯電話端末１０で実行する各種動作、処理が含まれ、例えば、カーソル、ポインタの移動、画面の表示切換、文字入力処理、各種アプリケーションの起動処理、終了処理がある。
【００４６】
また、記憶部１９には、他の端末との通信（近距離通信、通信網を用いた通信）の際の識別子となる自機のネットワークＩＤや、識別子表示部２８に表示される画像の表示規則（識別子表示部２８に表示される画像を解析するための画像の各成分とそれに対応する情報、例えば識別子と識別子表示部２８で表示される画像との対応関係）が記憶されている。ここで、ネットワークＩＤとしては、例えば、ＭＡＣアドレス（Media Access Control address）を用いることができる。なおネットワークＩＤとしては、通信端末を特定することが出来る情報、つまり通信端末に固有に対応付けられている情報であればよくＭＡＣアドレスに限定されない。
【００４７】
主制御部２０は、例えば、ＣＰＵ（Central  Processing  Unit）であり、携帯電話端末１０の動作を統括的に制御する。具体的には、主制御部２０は、記憶部１９に記憶されているデータを必要に応じて参照しつつ、記憶部１９に記憶されているプログラムを実行して、タッチパネル１２、入力部１３、通信部１６、近距離通信部２４等を制御することによって各種処理を実行する。主制御部２０は、記憶部１９に記憶されているプログラムや、処理を実行することによって取得／生成／加工されたデータを、一時的な記憶領域を提供するＲＡＭ２１に必要に応じて展開する。なお、主制御部２０が実行するプログラムや参照するデータは、通信部１６による無線通信でサーバ装置からダウンロードすることとしてもよい。
【００４８】
近距離通信部２４は、近距離無線通信技術を用いて、他の通信端末（他の携帯電話端末）と通信を行う通信部（情報通信部）である。なお、近距離無線通信技術としては、赤外線通信（ＩｒＤＡ（登録商標）、ＩｒＭＣ（登録商標）、ＩｒＳｉｍｐｌｅ（登録商標））や、可視光通信や、Bluetooth（登録商標）や、磁界通信（ＲＦＩＤ、Radio  Frequency  Identification）技術を用いることができる。
【００４９】
カメラ２６は、上述したように画像を撮影する撮影窓が、筐体１１から露出して配置されており、撮影領域の画像を取得する撮像機構である。
【００５０】
識別子表示部２８は、上述したように表示面が筐体１１から露出して配置されており、表示面に二次元コードを表示させる画像表示装置である。識別子表示部２８は、主制御部２０の制御に基づいて表示面に各種二次元コードを表示させることができる。識別子表示部２８は、主制御部２０の制御に基づいて表示面に二次元コードを表示させた状態と、二次元コードを表示させない状態と、を切り換えること、つまり二次元コードの表示、非表示を切り換えることができる。
【００５１】
次に、図５から図７を用いて、携帯電話端末１０が近距離通信部２４の機能を用いて他の携帯電話端末と情報の送受信を行う近距離通信動作の一例について説明する。図５から図７は、それぞれ携帯電話端末の近距離通信動作を説明するための説明図である。なお、図５から図７は、携帯電話端末１０ａと携帯電話端末１０ｂとの間で近距離通信を行い、携帯電話端末１０ａから携帯電話端末１０ｂにデータを送信する場合を示している。つまり、図５から図７に示す処理においては、携帯電話端末１０ａが通信要求端末となり、携帯電話端末１０ｂが通信被要求端末となる。
【００５２】
まず、図５に示すように携帯電話端末１０ａは、携帯電話端末１０ｂと互いの背面が向かい合った状態で配置されている。また、携帯電話端末１０ａは、自機のカメラ２６の撮影領域に携帯電話端末１０ｂの識別子表示部２８が含まれる。なお、携帯電話端末１０ａと携帯電話端末１０ｂとの相対的な位置関係は、利用者がそれぞれの携帯電話端末を移動させることで調整される。
【００５３】
携帯電話端末１０ａは、近距離通信部２４を用いた近距離通信機能が起動された場合、主制御部２０は、記憶部１９からカメラプログラム１９Ｃ、近距離通信プログラム１９Ｄ、通信管理プログラム１９Ｅを読み出して各プログラムを実行させることで各機能を起動させる。つまり携帯電話端末１０ａは、近距離通信部２４を用いた近距離通信機能に加え、カメラ２６を用いた撮影機能も起動させる。また携帯電話端末１０ａは、通信管理プログラム１９Ｅを処理することで実現する通信を管理する機能も起動させる。
【００５４】
携帯電話端末１０ａは、各機能を起動させると、カメラ２６により画像を撮影し、図６のステップＳ１に示すように、タッチパネル１２の一部に撮影した画像５１を表示させる。撮影した画像５１には、撮影領域にある携帯電話端末１０ｂの画像６０が含まれている。撮影した画像５１には、携帯電話端末１０ｂの識別子表示部２８で表示される識別子の画像６２も含まれている。携帯電話端末１０ａは、タッチパネル１２に選択画面５２も表示させる。選択画面５２には、近距離通信で送信する対象となるデータの複数のオブジェクト６４、６４ａが表示されている。なお、携帯電話端末１０ａは、タッチパネル１２に入力される利用者の操作（選択操作）により、選択画面５２に表示させるオブジェクトを切り換える。
【００５５】
携帯電話端末１０ａは、ステップＳ１に示すように画像５１と選択画面５２とを表示している状態で、利用者の指Ｈによりタッチパネル１２にオブジェクト６４ａを指定する操作が入力され、その後ステップＳ２に示すように、オブジェクト６４ａを指定した指Ｈを画像６２まで移動させる操作、つまり指を矢印６６に沿って移動させる操作が入力されると、オブジェクト６４ａに対応するデータを近距離通信で携帯電話端末１０ｂに送信する。なお、携帯電話端末１０ａは、設定によりオブジェクト６４ａを指定した指Ｈを画像６２まで移動させる操作に種々の操作を対応付けることができる。携帯電話端末１０ａは、オブジェクト６４ａを指定した指Ｈを画像６２まで移動させる操作に、例えばドラッグ操作、スイープ操作、またオブジェクト６４ａと画像６２の２箇所をタッチする操作を対応付けることができる。なお、送信時の携帯電話端末１０ａの処理については後述する。
【００５６】
携帯電話端末１０ｂは、図６のステップＳ２で携帯電話端末１０ａから近距離通信で送信されたデータを受信すると、図７に示すように、タッチパネル１２に画像６８を表示させる。画像６８は、携帯電話端末１０ａの情報と携帯電話端末１０ａから近距離通信で送信されたデータの情報とデータを受信するか否かの選択操作を入力する項目とを含む。携帯電話端末１０ｂは、データを受信することを選択する操作がタッチパネル１２に入力されたら、携帯電話端末１０ａから近距離通信で送信されたデータの情報を受信する。携帯電話端末１０ｂは、データを受信しないことを選択する操作がタッチパネル１２に入力されたら、携帯電話端末１０ａから近距離通信で送信されたデータの情報を受信しない。
【００５７】
以下、図８から図１０を用いて携帯電話端末１０の処理動作について説明する。図８から図１０は、それぞれ携帯電話端末の近距離通信の処理の一例を示すフロー図である。図８から図１０に示す処理手順は、カメラプログラム１９Ｃ、近距離通信プログラム１９Ｄ、通信管理プログラム１９Ｅが提供する機能に基づいて実行される。より具体的には、カメラプログラム１９Ｃが提供する機能（撮影機能）により取得した画像に基づいて、通信対象の携帯電話端末（通信端末）を特定し、通信管理プログラム１９Ｅが提供する機能（通信対象を抽出、設定する機能）により、特定した携帯電話端末と近距離通信を行うための設定を行い、近距離通信プログラム１９Ｄが提供する機能（通信機能）で特定した携帯電話端末と近距離通信でデータの送受信を行う。携帯電話端末１０は、近距離通信機能を起動する指示が入力された場合、図８に示す処理を行う。
【００５８】
携帯電話端末１０の主制御部２０は、近距離通信機能を起動する指示が入力された場合、上述したように、カメラ２６により画像を撮影し、撮影した画像と送信するデータを選択する選択画面をタッチパネル１２に表示させる。携帯電話端末１０の主制御部２０は、タッチパネル１２に撮影した画像と選択画面とを表示させたら、ステップＳ１２としてオブジェクトのドラッグを開始したか、つまりオブジェクトを移動させる操作の入力が開始されたかを判定する。なお、本実施形態では、ドラッグ操作としたが、オブジェクトを移動させる操作は、上述したように設定により種々の操作を対応付けることができる。なお、主制御部２０は、タッチパネル１２に対する操作を検出することで、ドラッグ操作が入力されたかを判定する。
【００５９】
主制御部２０は、ステップＳ１２でドラッグを開始していない（Ｎｏ）、つまりオブジェクトに対するドラッグ操作が入力されていないと判定した場合、ステップＳ１２に進む。つまり、主制御部２０は、オブジェクトのドラック操作が開始されるまで、ステップＳ１２の処理を繰り返す。主制御部２０は、ステップＳ１２でドラッグ操作を開始した（Ｙｅｓ）と判定した場合、ステップＳ１４として、オブジェクトのドラッグ操作は終了したかを判定する。主制御部２０は、ステップＳ１４でドラッグが終了していない（Ｎｏ）、つまりオブジェクトに対するドラッグ操作が継続中であると判定した場合、ステップＳ１４に進む。つまり、主制御部２０は、オブジェクトのドラック操作が終了するまで、ステップＳ１４の処理を繰り返す。主制御部２０は、ステップＳ１４でオブジェクトのドラッグが終了した（Ｙｅｓ）と判定した場合、ステップＳ１６としてオブジェクトをドラッグしたところは識別子上かを判定する。つまり、主制御部２０はオブジェクトが識別子上まで移動されたかを判定する。主制御部２０は、撮影した画像を解析することで画像内にある識別子の位置を検出する。
【００６０】
主制御部２０は、ステップＳ１６でオブジェクトをドラッグした位置（移動先の位置）が識別子上ではない（Ｎｏ）と判定した場合、ステップＳ１２に進む。なおこの場合、主制御部２０は、入力されたオブジェクトのドラッグ操作をオブジェクトの移動操作として処理しても、入力された操作を無効にしてもよい。
【００６１】
主制御部２０は、ステップＳ１６でオブジェクトをドラッグした位置（移動先の位置）が識別子上である（Ｙｅｓ）と判定した場合、ステップＳ１８として識別子解析を行い、ネットワークＩＤ情報を取得する。
【００６２】
以下、図９を用いてステップＳ１８の識別子解析の処理について説明する。主制御部２０は、図９に示すようにステップＳ４０として、撮影画像から識別子を抽出する。つまり、カメラ２６で撮影した画像に含まれる識別子を抽出する。なお、抽出する識別子は、オブジェクトがドラッグされた位置にある識別子である。その後、主制御部２０は、ステップＳ４２として、ステップＳ４０で抽出した識別子を解析する。つまり主制御部２０は、識別子を識別子の表示規則に基づいて解析して識別子に含まれている情報を抽出する。主制御部２０は、ステップＳ４２で識別子を解析したら、ステップＳ４４として解析結果からネットワークＩＤを特定する。つまり、主制御部２０は、識別子を解析して抽出した情報に基づいて画像に含まれる識別子を備える携帯電話端末のネットワークＩＤを特定する。主制御部２０は、ステップＳ４４の処理を行ったら、識別子解析の処理を終了する。
【００６３】
主制御部２０は、ステップＳ１８で識別子解析を行い、ネットワークＩＤを取得したら、ステップＳ２０として接続処理を行う。
【００６４】
以下、図１０を用いてステップＳ２０の接続処理について説明する。主制御部２０は、ステップＳ５０として、近距離通信部２４により近距離通信可能な通信端末を検出する。つまり主制御部２０は、近距離通信部２４から出力する通信波が届く範囲内にある携帯電話端末１０ｂを含む近距離通信機能を備える通信端末を検出する。主制御部２０は、ステップＳ５０で通信端末を検出したら、ステップＳ５２として各通信端末のネットワークＩＤを取得する。つまり、主制御部２０は、近距離通信可能な範囲内にある通信端末がそれぞれどの通信端末であるかを特定する情報としてネットワークＩＤを取得する。
【００６５】
主制御部２０は、ステップＳ５２でネットワークＩＤを取得したら、ステップＳ５４として一致するネットワークＩＤがあるかを判定する。つまり、ステップＳ５４で取得したネットワークＩＤの中にステップＳ１８の識別子解析で取得したネットワークＩＤと一致するネットワークＩＤがあるかを判定する。主制御部２０は、ステップＳ５４で一致するネットワークＩＤがない（Ｎｏ）と判定した場合、ステップＳ５０に進み、ステップＳ５０の処理とステップＳ５２の処理を再び行う。
【００６６】
主制御部２０は、ステップＳ５４で一致するネットワークＩＤがある（Ｙｅｓ）と判定した場合、ステップＳ５６として、対象の通信端末（図５から図７では携帯電話端末１０ｂ）に自機のネットワークＩＤを送信する。つまり、主制御部２０は、対象の通信端末が自機を識別するための情報を近距離通信で送信する。主制御部２０は、ステップＳ５６で自機のネットワークＩＤを送信したら、ステップＳ５８として設定処理を行う。なお、設定処理としては、２つの通信端末（携帯電話端末）間で近距離通信を行うために実行する各種設定処理であり、上述したステップＳ５６の処理に対応するネットワークＩＤの交換や、使用する通信波の方式、周波数帯、識別信号の設定、同期処理、セキュリティの設定処理、解除処理等である。主制御部２０は、ステップＳ５８の処理を行ったら、接続処理を終了する。
【００６７】
主制御部２０は、ステップＳ２０で接続処理を行ったら、ステップＳ２２として、接続先がオブジェクト受信可能な状態になったかを判定する。つまり、接続先の通信端末が近距離通信で情報を送受信できる状態となっているかを判定する。主制御部２０は、ステップＳ２２で接続先がオブジェクト受信可能な状態ではない（Ｎｏ）と判定した場合、ステップＳ２２に進む。つまり、主制御部２０は、接続先がオブジェクト受信可能な状態となるまで、ステップＳ２２の処理を繰り返す。
【００６８】
主制御部２０は、ステップＳ２２で接続先がオブジェクト受信可能な状態である（Ｙｅｓ）と判定した場合、ステップＳ２４としてオブジェクト送信処理を行う。具体的には、主制御部２０は、ステップＳ１６で識別子上にドラッグされたオブジェクトに対応するデータをステップＳ２０で接続した通信端末に近距離通信で送信する。
【００６９】
主制御部２０は、ステップＳ２４でオブジェクトの送信処理を行ったら、ステップＳ２６としてオブジェクト送信が成功したかを判定する。主制御部２０は、ステップＳ２６でオブジェクト送信が成功した（Ｙｅｓ）と判定した場合、ステップＳ２８として送信成功の画像をタッチパネル１２に表示させる。主制御部２０は、ステップＳ２６でオブジェクト送信が成功していない（Ｎｏ）つまり失敗したと判定した場合、ステップＳ３０として送信失敗の画像をタッチパネル１２に表示させる。主制御部２０は、ステップＳ２８またはステップＳ３０の処理が終了したら、本処理を終了する。
【００７０】
このように、携帯電話端末１０は、近距離通信の対象の通信端末に設けられた識別子をカメラ２６により読み取り、識別子から通信対象の通信端末のネットワークＩＤを検出する。これにより、利用者は、近距離通信が可能な通信端末が複数ある場合でも、カメラ２６で通信対象の通信端末の識別子の画像を取得するのみで、通信対象の通信端末を特定することができる。つまり、利用者は、対象の通信端末の利用者とネットワークＩＤの情報を交換したりしなくても、複数の通信端末から対象の通信端末を選択することができる。これにより利用者は、数字やアルファベットの羅列等であるネットワークＩＤを識別する手間を省略することができ、操作の負荷が低減する。
【００７１】
また、携帯電話端末１０は、カメラ２６で撮影している通信端末にデータを送信することで、多数の通信端末が近距離通信可能な範囲にあっても、目の前にある通信端末により確実にデータを送信することができる。これにより、利用者が複数の通信端末のネットワークＩＤの中から手動で対象の通信端末を選択する場合よりも通信端末を間違える可能性を少なくすることができ、安全性を向上させることができる。
【００７２】
また、携帯電話端末１０は、本実施形態のように、タッチパネル１２に対象の通信端末および識別子の画像と送信する対象のデータのオブジェクトを表示させ、当該識別子に移動されたオブジェクトを当該識別子の通信端末に近距離通信で送信することで、利用者がより簡単な操作で所望のオブジェクトのデータを所望の通信端末に送信することができる。なお、送信するオブジェクトの選択方法は本実施形態に限定されない。例えば、携帯電話端末１０は、送信するオブジェクトを予め設定した後、カメラで対象の通信端末の識別子を撮影し、図８のステップＳ１８以降の処理を実行するようにしてもよい。
【００７３】
携帯電話端末１０は、識別子の情報を取得するデバイスとしてカメラを用いることで、取得した画像を見ながら操作可能となり、利用者の操作をより簡単にすることができる。なお、識別子の情報を取得する識別子読取部としては、カメラ以外にも種々の読み取り装置を用いることができる。また、本実施形態では、携帯電話端末１０は、識別子を目視で視認可能な構成とすることで識別子読取部の読み取り領域に識別子があるかをより適切に確認することができ、操作をより簡単にすることができる。なお、識別子は、目視できない画像、例えば赤外線で読み取ることができる画像としてもよい。このように目視できない画像とすることで、二次元コードが目視で認識されることを防止でき、筐体１１のデザイン性を高くすることができる。また、識別子が他の利用者に認識されることを抑制することができ、セキュリティ性を高くすることができる。
【００７４】
ここで、通信システム１および携帯電話端末１０は、通信する２つの携帯電話端末１０がともにカメラ２６と識別子表示部２８とを備え、識別子表示部２８とカメラ２６とを用いて互いの識別子を取得して、それぞれのネットワークＩＤを取得し、その後近距離通信で自機のネットワークＩＤと識別子で取得した対象の携帯電話端末１０のネットワークＩＤを交換することが好ましい。これにより、互いのネットワークＩＤを取得した状態で図８のステップＳ２０の接続処理を行うことができるため、より確実に対象の携帯電話端末１０間で近距離通信を行うことができる。なお、通信システム１および携帯電話端末１０は、一方の携帯電話端末１０がカメラ２６で読み取った他方の携帯電話端末１０の識別子に基づいてネットワークＩＤを用いて、その後の情報の交換は近距離通信で行うようにしてもよい。この場合、一方の携帯電話端末１０が自機のネットワークＩＤを取得したネットワークＩＤと関連付けて送信することで、他方の携帯電話端末１０で通信対象の携帯電話端末１０を特定することができる。
【００７５】
また、携帯電話端末１０は、本実施形態のように、カメラ２６と、識別子表示部２８とを筐体１１の同一面上に配置することで向かい合って配置された通信対象の通信端末に対して識別子が見える状態で通信対象の通信端末の画像を取得することができる。これにより、各種処理を迅速に行うことができる。
【００７６】
以下、図１１および図１２を用いて、携帯電話端末が近距離通信動作でデータを送受信する他の例について説明する。図１１は、携帯電話端末の近距離通信動作を説明するための説明図である。図１２は、携帯電話端末の近距離通信動作を説明するための説明図である。なお、図１１および図１２に示す例は、携帯電話端末１０ａと携帯電話端末１０ｂとが互いの背面が向かい合った状態で配置されている。また、携帯電話端末１０ａは、自機のカメラ２６の撮影領域に携帯電話端末１０ｂの識別子表示部２８が含まれる。
【００７７】
携帯電話端末１０ａは、上述した実施形態と同様に、各機能を起動させると、カメラ２６により画像を撮影し、図１１のステップＳ３に示すように、タッチパネル１２の一部に撮影した画像５１を表示させる。撮影した画像５１には、撮影領域にある携帯電話端末１０ｂの画像６０が含まれている。撮影した画像５１には、携帯電話端末１０ｂの識別子表示部２８で表示される識別子の画像６２も含まれている。携帯電話端末１０ａは、タッチパネル１２に選択画面５２も表示させる。選択画面５２には、近距離通信で送信する対象となるデータの複数のオブジェクトが表示されている。
【００７８】
携帯電話端末１０ａは、ステップＳ３に示すように画像５１と選択画面５２とを表示している状態で、利用者の指Ｈによりタッチパネル１２に識別子の画像６２を指定する操作が入力され、その後ステップＳ４に示すように、画像６２を指定した指Ｈを選択画面５２の領域６２ａまで移動させる操作、つまり指を矢印７２に沿って移動させる操作が入力されると、画像６２の識別子により特定される携帯電話端末１０ｂのプロフィール情報を取得する処理を開始する。具体的には、携帯電話端末１０ａは、携帯電話端末１０ｂに対して近距離通信で携帯電話端末１０ｂのプロフィール情報を送信する要求を送る。
【００７９】
携帯電話端末１０ｂは、図１１のステップＳ４の処理が実行されると、図１２に示すように、タッチパネル１２に画像７４を表示させる。画像７４は、携帯電話端末１０ａに対して、自機のプロフィール情報を送信するか否かの選択操作を入力する項目を含む。携帯電話端末１０ｂは、プロフィール情報を送信することを選択する操作がタッチパネル１２に入力されたら、携帯電話端末１０ｂから携帯電話端末１０ａに近距離通信でプロフィール情報を送信する。携帯電話端末１０ｂは、プロフィール情報を送信しないことを選択する操作がタッチパネル１２に入力されたら、携帯電話端末１０ａに対して、プロフィール情報を送信しないことを示す情報を送信する。
【００８０】
通信システム１および携帯電話端末１０は、このように識別子のドラッグ操作と当該識別子を備える携帯電話端末１０のプロフィール情報（アドレス、電話番号等の情報）を取得する操作とを対応付けることで、プロフィール情報の交換をより簡単な操作で行うことができる。
【００８１】
次に、図１３は、携帯電話端末の近距離通信動作を説明するための説明図である。通信システム１および携帯電話端末１０は、カメラで撮影した画像に複数の携帯電話端末が含まれる場合、オブジェクトが移動される位置に応じてオブジェクトのデータを近距離通信で送信する携帯電話端末１０を特定することもできる。
【００８２】
携帯電話端末１０ａは、各機能を起動させると、カメラ２６により画像を撮影し、図１３のステップＳ５に示すように、タッチパネル１２の一部に撮影した画像８１を表示させる。撮影した画像８１には、撮影領域にある３台の携帯電話端末１０の画像８２、８４、８６が含まれる。また、撮影した画像８１には、３台の携帯電話端末１０の識別子表示部２８で表示される識別子の画像８３、８５、８７も含まれている。携帯電話端末１０ａは、タッチパネル１２に選択画面５２も表示させる。選択画面５２には、近距離通信で送信する対象となるデータの複数のオブジェクト６４、６４ａが表示されている。
【００８３】
携帯電話端末１０ａは、ステップＳ５に示すように画像８１と選択画面５２とを表示している状態で、利用者の指Ｈによりタッチパネル１２にオブジェクト６４ａを指定する操作が入力され、その後ステップＳ６に示すように、オブジェクト６４ａを指定した指Ｈを画像８３まで移動させる操作、つまり指Ｈを矢印に沿って移動させる操作が入力されると、オブジェクト６４ａに対応するデータを近距離通信で画像８２および画像８３に対応する携帯電話端末１０に送信する。つまり、携帯電話端末１０ａは、識別子の画像８３に基づいて、画像８１内の３台の携帯電話端末から１つの携帯電話端末を特定し、特定した携帯電話端末と近距離通信を行う。
【００８４】
このように、携帯電話端末１０は識別子を用いることで、カメラの撮影領域に複数の携帯電話端末がある場合、つまり、自機に対面する位置に複数の通信端末がある場合、複数の通信端末が近接して配置されている場合でも簡単な操作で特定の１つの携帯電話端末と近距離通信を行うことができ、データの送受信を行うことができる。また、本実施形態のように、オブジェクトのドラッグ操作で送信するオブジェクトのデータと送信する携帯電話端末を特定することで、携帯電話端末は、種々のデータを簡単な操作で順次種々の携帯電話端末に近距離通信で送信することができる。
【００８５】
図１４および図１５は、それぞれ識別子表示部で表示させる画像を説明するための説明図である。ここで、識別子表示部２８で識別子を表示させる方法としては種々の方法を用いることができる。識別子表示部２８は、識別子として表示させる情報を一度に全て表示させるようにしてもよいが、複数に分割して表示させてもよい。例えば、図１４に示すように二次元コードで構成される識別子９０を、９個の分割識別子９２ａ〜９２ｉに分割する。識別子表示部２８は、図１５に示すように、９個の分割識別子９２ａ〜９２ｉを切り換えて順番に表示させるようにしてもよい。この場合は、カメラ（識別子読取部）が分割識別子９２ａ〜９２ｉの画像を順次取得し蓄積し、合成することで１つの識別子９０を取得することができる。
【００８６】
このように１つの識別子を複数に分割することで、識別子表示部２８を簡単な構成としても、つまり識別子表示部２８の画素数を少なくしても複雑な識別子を用いることができる。これにより、識別子表示部２８の構成を簡単にしかつ識別子としてより多くの情報を表示させることができる。また時系列で表示する画像を変化させることで、識別子の伝達に一定時間が必要となるため、意図した相手のみに識別子を表示させ認識させることができる。これによりセキュリティ性を高くすることができる。
【００８７】
また、携帯電話端末１０は、識別子にネットワークＩＤ以外の近距離通信で用いる各種情報を含ませることができる。例えば、識別子に暗号キーを含ませ、暗号キーでネットワークＩＤの暗号化を解除しないと近距離通信ができないようにすることもできる。また、複数のコードを組み合わせることでセキュリティ性を高くすることもできる。
【００８８】
なお、携帯電話端末は、識別子を表示する識別子表示部として表示を切り換えることができる画像表示装置を用いることで、上述したように表示させる識別子を種々の識別子とすることができ、より多くの情報を表示することが可能となる。また、表示と非表示を切り換えることができ、また識別子を変更できるため、セキュリティ性を高くすることができる。なお、識別子表示部は、上記効果があるため画像表示装置を用いることが好ましいがこれに限定されず、識別子表示部として識別子が印刷された紙等を用いてもよい。なお、識別子が印刷された紙は、筐体１１に貼り付けた構成とすることが好ましい。このように識別子表示部を識別子が変化しない紙としても、識別子を読み取ることでネットワークＩＤを取得することができる。
【符号の説明】
【００８９】
１  通信システム
１０  携帯電話端末
１１  筐体
１２  タッチパネル
１２Ａ  タッチセンサ
１２Ｂ  表示部
１３  入力部
１５  電源部
１６  通信部
１７  レシーバ
１８  マイク
１９  記憶部
１９Ａ  メールプログラム
１９Ｂ  ブラウザプログラム
１９Ｃ  カメラプログラム
１９Ｄ  近距離通信プログラム
１９Ｅ  通信管理プログラム
１９Ｆ  処理条件テーブル
２０  主制御部
２１  ＲＡＭ
２４  近距離通信部
２６  カメラ
２８  識別子表示部
３０、３２  ボタン
３４  入力デバイス
【図１】
2012249103.tif 000003
【図２】
2012249103.tif 000004
【図３】
2012249103.tif 000005
【図４】
2012249103.tif 000006
【図５】
2012249103.tif 000007
【図６】
2012249103.tif 000008
【図７】
2012249103.tif 000009
【図８】
2012249103.tif 000010
【図９】
2012249103.tif 000011
【図１０】
2012249103.tif 000012
【図１１】
2012249103.tif 000013
【図１２】
2012249103.tif 000014
【図１３】
2012249103.tif 000015
【図１４】
2012249103.tif 000016
【図１５】
2012249103.tif 000017